(57)【要約】【課題】メモ用紙にも使用できる卓上カレンダーを提供する。【解決手段】暦情報が記載されている複数枚のカレンダー用紙が厚さ方向に積層されて配置されたカレンダー部と、載置面上に設置され、カレンダー部を前面側に支持するカレンダー支持部とを備え、カレンダー部は、カレンダー支持部の前面下端部に設けられたリング部によりカレンダー支持部に回動可能に固定された卓上カレンダーであって、前記カレンダー用紙は、用紙ごとに、前面側には各月度の暦情報面部が設けられていると共に裏面側には前記暦情報部に対応するスケジュール記載欄が設けられ、前記カレンダー支持部の前面側において暦情報を把握できると共に、前記カレンダー用紙を前記リングを中心として載置面側に回動させて載置面部上に配置した場合には、前記スケジュール記載欄にスケジュールを記載することができる。【選択図】図３
0003223640.tif 000002
【実用新案登録請求の範囲】
【請求項１】
暦情報が記載されている複数枚のカレンダー用紙が厚さ方向に積層されて配置されたカレンダー部と、載置面上に設置され、前記カレンダー部を前面側に支持するカレンダー支持部とを備え、前記カレンダー部は、前記カレンダー支持部の前面下端部に設けられたリング部により前記カレンダー支持部に回動可能に固定された卓上カレンダーであって、
前記カレンダー用紙は、用紙ごとに、前面側には各月度の暦情報面部が設けられていると共に裏面側には前記暦情報部に対応するスケジュール記載欄が設けられ、
前記カレンダー支持部の前面側において暦情報を把握できると共に、前記カレンダー用紙を前記リングを中心として載置面側に回動させて載置面部上に配置した場合には、前記スケジュール記載欄にスケジュールを記載することができることを特徴とする卓上カレンダー。
【請求項２】
前記カレンダー支持部は、全体三角柱状に形成され、前記載置面上に置くことが可能な方形状の底面部と、前記底面部の幅方向前端部及び幅方向後端部からそれぞれ起立する前側起立面部及び後側起立面部とを備え、前記リング部は前記底面部の前端部及び前記前側起立面部の前面下端部との間に設けられ、前記カレンダー用紙は前記前側起立面部に配置されていることを特徴とする請求項１記載の卓上カレンダー。
【請求項３】
前記底面部は、前側折り返し部材と後側折り返し部材により構成され、前側折り返し部材及び後側折り返し部材にはそれぞれ係合部が設けられていることを特徴とする請求項１記載の卓上カレンダー。
【請求項４】
暦情報が記載されている複数枚のカレンダー用紙が厚さ方向に積層されて配置されたカレンダー部と、載置面上に設置され、前記カレンダー部を前面側に支持するカレンダー支持部とを備え、前記カレンダー部は、前記カレンダー支持部の前面下端部に設けられたリング部により前記カレンダー支持部に回動可能に固定された卓上カレンダーであって、
前記カレンダー部には、カレンダー支持部の外方へ突出して配置される表示部が格納された用紙が含まれていることを特徴とする卓上カレンダー。
【請求項５】
前記表示部は前記用紙本体の左方向、右方向及び上方へ突出しうるように折り畳まれて配置されていることを特徴とする請求項４記載の卓上カレンダー。
【考案の詳細な説明】
【技術分野】
【０００１】
本考案は、卓上カレンダーに関し、特にメモ帳としても使用可能な卓上カレンダーに関するものである。
【背景技術】
【０００２】
従来、卓上等に置いて使用する卓上カレンダーの一般的な形態は、卓上カレンダーを印刷した綴じ込み用紙を複数枚重ね合わせ、その上辺部をリングによって綴じ込み、卓上に置いて使用するように構成されている。
そして、卓上カレンダーは卓上に据え置きで暦情報を確認するために使用するためだけの機能であった。特許文献１には、暦情報が記載されているカレンダー部をめくり易くするための考案が開示されている。
【先行技術文献】
【特許文献】
【０００３】
【特許文献１】実用新案登録第３１７５６９２号公報
【考案の概要】
【考案が解決しようとする課題】
【０００４】
近年、省資源化等が進み資源の有効利用等も求められている。このような環境においては、従来の卓上カレンダーの機能に加えて、別途にメモ用紙を準備することなくメモができ、併せて、省資源の要請にもこたえられる卓上カレンダーがあれば非常に便利である。
【０００５】
また、組み立て式の卓上カレンダーでは底部を糊で接着しているためこの糊付けに工数が掛かっているという問題があった。さらに、卓上カレンダーの形態は画一的であり、形状や模様が単調であることから使用者が飽きてしまいう可能性があることから、斬新さに富んだ卓上カレンダーが要請されていた。
【０００６】
本考案は、メモ帳としても使用可能であるとともに、製造工数を低減でき、使用に際しても斬新で飽きることのない卓上カレンダーを提供することを課題とする。
【課題を解決するための手段】
【０００７】
本願の請求項１記載の第１考案は、暦情報が記載されている複数枚のカレンダー用紙が厚さ方向に積層されて配置されたカレンダー部と、載置面上に設置され、前記カレンダー部を前面側に支持するカレンダー支持部とを備え、前記カレンダー部は、前記カレンダー支持部の前面下端部に設けられたリング部により前記カレンダー支持部に回動可能に固定された卓上カレンダーであって、
前記カレンダー用紙は、用紙ごとに、前面側には各月度の暦情報面部が設けられていると共に裏面側には前記暦情報部に対応するスケジュール記載欄が設けられ、前記カレンダー支持部の前面側において暦情報を把握できると共に、前記カレンダー用紙を前記リングを中心として載置面側に回動させて載置面部上に配置した場合には、前記スケジュール記載欄にメモを記載することができることを特徴とする。
【０００８】
従って、請求項１記載の考案にあっては、前記カレンダー用紙は、前面側には暦情報面部が設けられていると共に、裏面側にはスケジュール記載欄が設けられ、前記カレンダー支持部の前面側において暦情報を把握できると共に、前記カレンダー用紙を前記リング部を中心として載置面側に回動させて載置面上に配置した場合には、スケジュール記載欄にスケジュールをメモすることができることから、カレンダーとして使用すると共に、必要に応じてカレンダー用紙をリング部を介して手前に倒し、載置面上に配置した場合には、載置面を利用してそのままスケジュールを記載することが可能となる。
また、スケジュールを記載した場合には、当該月度のカレンダー用紙をリング部を中心としてカレンダー支持部側へ回動させて戻し、他のカレンダー用紙に重ねて配置しておくことができ、当該月度のスケジュール内容を隠すことができる。
【０００９】
本願の請求項２記載の第２考案は、前記カレンダー支持部は、全体三角柱状に形成され、前記載置面上に置くことが可能な方形状の底面部と、前記底面部の幅方向前端部及び幅方向後端部からそれぞれ起立する前側起立面部及び後側起立面部とを備え、前記リング部は前記底面部の前端部及び前記前側起立面部の前面下端部との間に設けられており、前記カレンダー用紙は前記前側起立面部に配置されていることを特徴とする。
【００１０】
従って、請求項２記載の考案にあっては、前記カレンダー用紙を前側起立面部から前記リングを中心として前側に倒すことにより、カレンダー用紙をめくることができる。
【００１１】
本願の請求項３記載の第３考案は、前記底面部は、前側折り返し部材と後側折り返し部材により構成され、前側折り返し部材及び後側折り返し部材にはそれぞれ係合部が設けられていることを特徴とする。
【００１２】
従って、請求項３記載の考案にあっては、前側折り返し部材及び後側折り返し部材にそれぞれ設けられた係合部を互いに係合させることにより底面部を構成することができる。
【００１３】
本願の請求項４記載の第４考案は、暦情報が記載されている複数枚のカレンダー用紙が厚さ方向に積層されて配置されたカレンダー部と、載置面上に設置され、前記カレンダー部を前面側に支持するカレンダー支持部とを備え、前記カレンダー部は、前記カレンダー支持部の前面下端部に設けられたリング部により前記カレンダー支持部に回動可能に固定された卓上カレンダーであって、
前記カレンダー部には、カレンダー支持部の外方へ突出して配置される表示部が格納された用紙が含まれていることを特徴とする。
【００１４】
請求項４記載の考案にあっては、必要に応じて、前記表示部をカレンダー支持部の外方へ展開されることができる。
【００１５】
本願の請求項５記載の第５考案は、前記表示部は前記用紙本体の左方向、右方向及び上方へ突出しうるように折り畳まれて配置されていることを特徴とする。
【００１６】
従って、請求項５記載の考案にあっては、前記表示部が前記用紙本体の左右及び上方に配置される。
【考案の効果】
【００１７】
請求項１記載の卓上カレンダーにあっては前記カレンダー用紙を前記リング部を中心として載置面側に回動させて載置面上に配置した場合には、当該月度のスケジュール記載欄にスケジュールを記載することができることから、カレンダーとして使用すると共に、必要に応じてカレンダー用紙をリング部を介して手前に倒し、載置面を利用してそのままペン等により当該月度のスケジュールを記載することが可能となる。
また、スケジュールを記載した場合には、当該月度のカレンダー用紙をリング部を中心としてカレンダー支持部側へ回動させて他のカレンダー用紙に重ねて配置しておくことができ、当該月度のスケジュール内容を他人から見られないように隠しておくことができる。
従って、一般の卓上カレンダーにあっては、カレンダー支持部の前面上端部に設けられたリング部により前記カレンダー支持部に回動可能に固定され、かつ、カレンダー用紙にあっては一枚のカレンダー用紙の前面側に当該月度の暦情報が記載されると共に裏面側には翌月度のスケジュール記載欄が設けられるように構成されていることから、或る月度の暦情報が記載されたカレンダー用紙がカレンダー支持部の前面側に配置された場合には、当該月度のスケジュール記載欄は、カレンダー用紙の捲り方向における一枚前のカレンダー用紙に記載されてカレンダー支持部の裏面側に配置されることとなる。
その結果、その時点でカレンダー支持部の前面側で表示されている月度のスケジュール欄は、カレンダー支持部の裏面側に配置された別のカレンダー用紙に表示されることから、暦情報が記載されたカレンダー用紙を前面側に配置して使用した場合に、裏面側のスケジュール記載欄が他人に視認される可能性があり、プライバシーの保護を心配する必要があったが、本願考案にあっては、このような懸念を払拭することができる。従って、使用者個人のプライバシーを充分に保護できる卓上カレンダーを提供することができる。
【００１８】
請求項３記載の考案にあっては、前側折り返し部材及び後側折り返し部材にそれぞれ設けられた係合部を互いに係合させることにより底面部を構成することができることから、糊付けするより卓上カレンダーの製造工数が削減できる。
【００１９】
さらに、卓上カレンダーに表示部が含まれているので外方向へ突出して表示させることにより毎日に亘って見るときの単調な感覚を回避でき、斬新な卓上カレンダーを提供することができる。
【００２０】
請求項４記載の考案にあっては、必要に応じて、前記表示部をカレンダー支持部の外方へ展開することができる。その結果、卓上カレンダーの形状や模様が単調であることを理由として使用者が飽きてしまうことがなく、外観品質に富んだ卓上カレンダーを提供することができる。
【図面の簡単な説明】
【００２１】
【図１】本考案に係る卓上カレンダーの一実施の形態を示す斜視図である。
【図２】本考案に係る卓上カレンダーの一実施の形態であって、１月度の暦情報部をカレンダー支持部の前面側に配置している状態を示す斜視図である。
【図３】本考案に係る卓上カレンダーの一実施の形態を示す斜視図であって、１月度のカレンダー用紙をめくり、裏面側の１月度のスケジュール記載欄を表出させた状態を示す図である。
【図４】本考案に係る卓上カレンダーの一実施の形態であって、卓上カレンダーの底面部が、前側折り返し部材と後側折り返し部材とにより構成され、互いに係合することにより底面部が形成されている状態を示す説明図である。
【図５】本考案に係る卓上カレンダーの一実施の形態を示し、表示部を突出させた状態を示す説明図である。
【図６】本考案に係る卓上カレンダーの一実施の形態を示し、卓上カレンダーを展開した状態を示す展開図である。
【考案を実施するための形態】
【００２２】
以下、図面を参照しながら本考案の卓上カレンダー１の実施の形態を詳細に説明する。
【００２３】
図１〜図６に座標軸で示すように本例で「左右方向」とは、紙面を垂直方向から見た場合の左右方向であり、「上下方向」とは紙面を垂直方向から見た場合の上下方向であり、「前後方向」とは左右方向と上下方向に垂直な方向である。
【００２４】
図１及び図２に示すように、卓上カレンダー１は、暦情報７ｄが記載されている複数枚のカレンダー用紙７ａが厚さ方向に積層されて配置されたカレンダー部７と、机の天板等の載置面上Ｐに設置され、カレンダー部７を前面側に支持するカレンダー支持部５とを備えている。
【００２５】
カレンダー部７は、カレンダー支持部５の前面下端部５ｃに設けられたリング部１３によりカレンダー支持部５に回動可能に固定されている。
【００２６】
図２及び図３に示すように、カレンダー用紙７ａは、前面側には暦情報面部７ｂが設けられていると共に、裏面側には、暦情報面部７ｂに記載された月度と同一の月度のスケジュール記載欄７ｃが設けられている。図２においては、１月度の暦情報部７ｂが表示されていると共に、図３においては、１月度が表示されたカレンダー用紙７ａを捲り、裏面側の１月度のスケジュール記載欄７ｃが表示された状態を示している。
【００２７】
従って、本実施の形態に係る卓上カレンダー１にあっては、図２に示すように、カレンダー支持部５の前面側において暦情報７ｄを把握できると共に、カレンダー用紙７ａをリング９を中心として載置面側Ｐ方向に手前側に回動させて載置面部上Ｐに配置した場合には、図３に示すように、当該月度のスケジュール記載欄７ｃが表出し、テーブルの天板等の載置面Ｐを利用してスケジュール記載欄７ｃに当該月度のスケジュールを記載することができる。
この場合、スケジュール記載欄７ｃにスケジュールの記載が完了した場合には、当該カレンダー用紙７ａを、後述のリング部１３を介して回動させて図２の状態に戻し、当該月度のスケジュール記載欄７ｃを隠しておくことができる。
【００２８】
カレンダー部７は表紙と１月から１２月の１２枚の矩形のカレンダー用紙７ａで構成されている。そして、１月から１２月のカレンダー用紙７ａの表側には各月毎の暦情報７ｄが記載されている。
なお、本実施の形態では、各月の暦情報７ｄを１枚のカレンダー用紙７ａに記載しているが、これに限定されるものではない。例えば、１枚のカレンダー用紙７ａに２か月分の暦情報７ｄを記載してもよい。
【００２９】
カレンダー支持部５の前面下端部５ｃ付近にも対応する位置に綴じ孔１１が形成されていると共にカレンダー部７の各々のカレンダー用紙７ａには綴じ孔１１が複数形成され、綴じ孔１１にリング９が挿入されカレンダー部７を綴じてカレンダー支持部５に固定できるようにリング部１３が構成されている。
【００３０】
綴じ孔１１はリング９の挿入部分の巾より大きく形成されているためリング９に対してカレンダー用紙７ａは自由に回動可能な状態となっている。
【００３１】
本実施の形態にあっては、カレンダー部７の表紙と１２枚のカレンダー用紙７ａの各々の左右方向の１０か所の位置に各綴じ孔１１が形成されている。この場合、綴じ孔１１は１０か所に限定されない。
リング９の形状は円環形状に形成されているが、円環形状に限定されるものではない。また、リング９は１本の弾性の強い針金を曲げてリング９を形成してもよい。
【００３２】
カレンダー支持部５は、全体三角柱状に形成され、机の天板等の載置面上Ｐに置くことが可能な長方形状の底面部３と、底面部３の幅方向前端部３ｃ及び幅方向後端部３ｄからそれぞれ起立する前側起立面部５ａ及び後側起立面部５ｂとを備えており、リング部１３は底面部３の幅方向前端部３ｃ及び前側起立面部５ａの前面下端部５ｃとの間に設けられている。
【００３３】
このため、カレンダー部７もこの前側起立面部５ａに沿って、前側起立面部５ａの前端部及び底面部３の前端部とにかけて設けられたリング部１３に係合した状態で、前側から後側の方向に傾斜して配置されているので、カレンダー用紙７ａの暦情報面部７ｂは机の天板等の載置面部Ｐ上において、使用者が目視可能に安定した姿勢でカレンダー支持部５上に配置されている。また、卓上カレンダー１は全体三角柱状に構成されているので、安定して起立した状態を保持することができる。
【００３４】
図４に示すように、底面部３は、前側折り返し部材３ａと後側折り返し部材３ｂにより構成され、前側折り返し部材３ａ及び後側折り返し部材３ｂにはそれぞれ係合部２０が設けられている。
【００３５】
係合部２０は、本実施の形態にあっては、長方形状の挿入部１９と、挿入部１９が挿入することにより係合されるスリット部１７とにより構成されている。
底面部３は、前側折り返し部材３ａと後側折り返し部材３ｂを有し前側折り返し部材３ａの切込みが後側折り返し部材３ｂのスリット部１７に挿入されることによって組み立てられる。
なお、前側折り返し部材３ａにスリット部１７が形成され、後側折り返し部材３ｂに挿入部１９が形成され、挿入部１９がスリット部１７に挿入されて組み立てられる構成でもよく本実施の形態に限定されない。
【００３６】
なお、本実施の形態にあっては、スリット部１７は左右方向に長く形成された矩形であるが、特に矩形に限定されるものではない。例えば、直線状の切り込みが入っているだけでもよい。
【００３７】
このため、底面部３に切込みが形成されていて切込み同士を合わせることにより固定する構造になっているので糊付けするより製造工数が削減できるという効果を奏する。
【００３８】
図５に示すように、カレンダー部７には、カレンダー支持部５の外方へ突出して配置される表示部１５ａと表示部１５ｂとが格納された用紙が含まれている。
【００３９】
また、本実施の形態にあっては、表示部１５ａと表示部１５ｂがカレンダー用紙７ａの左方向、右方向へ突出しうるように折り畳まれて配置されている。
また、左右方向だけではなく、さらに上方向に突出するように折り畳まれていてもよい。
【００４０】
これにより、カレンダー部７の表示部１５ａと表示部１５ｂとが展開状態の際には、写真や絵等の装飾が表示部に施されているため、日々、使用者が本実施の形態に係る卓上カレンダー１を見る際に、新鮮な感覚を惹起させることができ、卓上カレンダーの単調な使用感覚を持つことを回避できる。
【００４１】
本実施の形態にあっては、表示部１５ａ及び表示部１５ｂは、例えば、複数のカレンダー用紙７ａの内、厚さ方向における最後のカレンダー用紙７ａ（例えば、１２月の暦情報が記載されたカレンダー用紙）に切込みを入れることにより切り抜き部を形成し、外方へ切り抜き部が折り返されて、カレンダー用紙７ａの長さ方向側方へ突出するように形成されている。
【００４２】
なお、切込みを入れて切り抜き部を形成するカレンダー用紙７ａは１２月のものを使用しても良く、もしくは、１２月の後に用紙を挿入して使用してもよい。
【００４３】
また、カレンダー支持部５の前側起立面部５ａに切込み部を形成し切込み部分を外に突出させるように形成してもよい。
【００４４】
図６は、卓上カレンダー１を展開した状態を示す展開図である。
卓上カレンダー１はこの展開図の状態から組み立てられるものであり、以下、組み立て状態を説明する。
まず、初めに、カレンダー支持部５の前側起立面部５ａとカレンダー支持部５の後側起立面部５ｂとが交差する位置Ｌ１において紙面垂直方向に沿って折り曲げる。
次に、カレンダー支持部５の前側起立面部５ａと底面部３の前側折り返し部材３ａの交差する位置Ｌにおいて同様に折り曲げる。次に底面部３の後側折り返し部材３ｂとカレンダー支持部５の後側起立面部５ｂの交差する位置Ｌ２において同様に折り曲げる。
【００４５】
そして、前側折り返し部材３ｂのスリット部１７に対して後側折り返し部材３ａの挿入部１９を挿入させて、前側折り返し部材３ａと後側折り返し部材３ｂを重なり合わせることにより組み立てられる。
【００４６】
また、前側折り返し部材３ａにスリット部１７が形成され、後側折り返し部材３ｂに挿入部１９が形成され、スリット部１７に挿入部１９を挿入するようにする構成でもよい。
【００４７】
卓上カレンダー１の本体の材質は紙に限定されるものではない。例えば、プラスチック製、木製、その他の材質でもよい。例えば、表紙がプラスチックで形成されカレンダー部７が用紙で形成されてもよい。これによれば、表紙が固いプラスチックのためメモ用紙の下敷きとしての役割を果たすことが可能となる。
【符号の説明】
【００４８】
１      卓上カレンダー
３      底面部
３ａ    前側折り返し部材
３ｂ    後側折り返し部材
５      カレンダー支持部
５ａ    前側起立面部
５ｂ    後側起立面部
７      カレンダー部
７ａ    レンダー用紙
７ｂ    暦情報面部
７ｃ    スケジュール記載欄
７ｄ    暦情報
９      リング
１１    綴じ孔
１３    リング部
１５ａ  表示部
１５ｂ  表示部
１９    挿入部
Ｐ      設置面
【図１】
0003223640.tif 000003
【図２】
0003223640.tif 000004
【図３】
0003223640.tif 000005
【図４】
0003223640.tif 000006
【図５】
0003223640.tif 000007
【図６】
0003223640.tif 000008